(57)【要約】【課題】薬液タンクの容量を大きくしても、背負って携行する等の必要がなく、取り扱いが容易で、噴霧作業を楽に、しかも安定した噴霧を行えるようにする。【解決手段】薬液タンク２に装着した薬液加圧ポンプ４のピストン６を操作するピストンロッド１１の外部突出端に手押し式ハンドル３を備える。そして、薬液タンク２を筒体にし、その薬液タンク２に、手押し式ハンドル３を自在にロックし、そのロックを解除できるハンドルロック手段１６を備え、その薬液タンク２の下側に台部２９を一体に連結し、その台部２９に足踏みストッパーを設け、車輪３１を備え付ける。【選択図】　　　　図１
2004017033.tif 000002
【特許請求の範囲】
【請求項１】
薬液タンクに装着した薬液加圧ポンプのピストンを操作するピストンロッドの外部突出端に手押し式ハンドルを備えてなる人力噴霧器であって、上記薬液タンクを筒体にし、その薬液タンクに、手押し式ハンドルを自在にロックし、そのロックを解除できるハンドルロック手段を備え、その薬液タンクの下側に台部を一体に連結し、その台部に足踏みストッパーを設け、車輪を備え付けることを特徴とする引き摺り型人力噴霧器。
【請求項２】
ハンドルロック手段として、薬液タンク上に、ピストンロッドが挿通する挿通穴を設けた上面壁を有するハンドルロック用筒体を一体に結合し、そのピストンロッドの上端部に係止突起を設け、そのハンドルロック用筒体の内部空間をピストンロッドに設けた係止突起を収容可能な大きさにし、そのハンドルロック用筒体の上面壁にピストンロッド挿通穴と連通する係止突起挿入・引抜き穴を設けることを特徴とする請求項１記載の引き摺り型人力噴霧器。
【請求項３】
台部を筒体にし、その台部用筒体の周壁に車輪の軸支持部材を備え付け、その軸支持位置が薬液タンクをほぼ垂直に立てた時、その車輪の下端と台部用筒体の底との高さがほぼ等しくなるようにし、更にその台部用筒体の周壁下端付近に開口を設け、その周壁開口の底側縁部を足踏みストッパーにすることを特徴とする請求項１又は２記載の引き摺り型人力噴霧器。
【発明の詳細な説明】
【０００１】
【発明の属する技術分野】
本発明は手押し式薬液加圧ポンプを薬液タンクに装着して備えた人力噴霧器に関する。
【０００２】
【従来の技術】
従来、手押し式薬液加圧ポンプを薬液タンクに装着して備えた人力噴霧器は２種類あり、ポンプにより薬液に加えられた圧力を蓄圧室を兼ねる薬液タンクに蓄えるものと、本発明の一実施形態として後述するような蓄圧室と加圧ポンプとを一体にしたものがある。そして、いずれの種類でも、薬液タンクの容量により大型のものは背負い式にし、それより小型の例えば６〜９リットルのものは肩掛け式にして携行し、それ等の薬液タンクの吐出管にホースを接続して、そのホースに開閉弁と噴射ノズルを備えた噴霧竿を取り付けて用いている。又、更に小型のものでは薬液タンクを手持ち式にし、その薬液タンクの吐出管に開閉弁を介して噴射ノズルを有する剛性管体を一体に設ける等して用いている。
【０００３】
【発明が解決しようとする課題】
しかしながら、人力噴霧器を構成する薬液タンクの容量が大きい場合、背負い式や肩掛け式にすると、携行して噴霧を行なうため、その運搬上の負担が大きい。又、使用中に薬液加圧ポンプを適宜操作して薬液を加圧しなければならないが、背負いや肩掛け状態ではポンプ操作し難いため、その都度地面に下ろしてポンプ操作し、再度噴霧のために背負いや肩掛けの携行を行なう必要があり、取り扱い上の負担が大きい。なお、使用中に薬液の補充を必要とする場合にも、通常は地面上に下ろして補充を行なわなければならない。
【０００４】
本発明はこのような従来の問題点に着目してなされたものであり、薬液タンクの容量を大きくしても、背負って携行する等の必要がなく、取り扱いが容易で、噴霧作業を楽に、しかも安定した噴霧を行える引き摺り型人力噴霧器を提供することを目的とする。
【０００５】
【課題を解決するための手段】
上記目的を達成するために、本発明による引き摺り型人力噴霧器にはその薬液タンクに装着した薬液加圧ポンプのピストンを操作するピストンロッドの外部突出端に手押し式ハンドルを備える。そして、上記薬液タンクを筒体にし、その薬液タンクに、手押し式ハンドルを自在にロックし、そのロックを解除できるハンドルロック手段を備え、その薬液タンクの下側に台部を一体に連結し、その台部に足踏みストッパーを設け、車輪を備え付ける。
【０００６】
又、上記ハンドルロック手段として、薬液タンク上に、ピストンロッドが挿通する挿通穴を設けた上面壁を有するハンドルロック用筒体を一体に結合し、そのピストンロッドの上端部に係止突起を設け、そのハンドルロック用筒体の内部空間をピストンロッドに設けた係止突起を収容可能な大きさにし、そのハンドルロック用筒体の上面壁にピストンロッド挿通穴と連通する係止突起挿入・引抜き穴を設けると好ましくなる。
【０００７】
又、上記台部を筒体にし、その台部用筒体の周壁に車輪の軸支持部材を備え付け、その軸支持位置が薬液タンクをほぼ垂直に立てた時、その車輪の下端と台部用筒体の底との高さがほぼ等しくなるようにし、更にその台部用筒体の周壁下端付近に開口を設け、その周壁開口の底側縁部を足踏み式ストッパーにするとよい。
【０００８】
【発明の実施の形態】
以下、添付の図１〜７を参照して、本発明の実施の形態を説明する。
図１は本発明を適用した引き摺り型人力噴霧器の内部構造を示す左側から見た部分縦断面図、図２は同人力噴霧器の正面図である。この引き摺り型人力噴霧器１にはボディの大部分を構成する薬液収容タンク２として、円筒状の筒体を用いる。すると、薬液タンク２の容量を大きく例えば１０〜１５リットルにし、筒体の長さを長くし易い。そして、その薬液タンク２の内部空間内に、中心より少し前側に寄せて、手押し式ハンドル３を備えた薬液加圧ポンプ４と蓄圧室５とを一体にしたものを装着する。
【０００９】
この薬液加圧ポンプ４の主要部はピストン６を収納したシリンダ７であり、そのシリンダ７の外側が蓄圧室５になる。そこで、シリンダ７と同軸状に外筒８を設け、その外筒８の上開口を上端付近に固着したシリンダキャップ９で閉鎖し、更にその外筒８の下開口を下端付近に固着したシリンダ挿通口を有する底部材１０で閉鎖して、シリンダ７を囲む蓄圧室５を形成する。なお、手押し式ハンドル３はピストンロッド１１の外部突出端に固着する。
【００１０】
そして、このようなシリンダ７の下部にシリンダ内から蓄圧室内へと、一方向の薬液の移動を許容する吐出弁１２を設け、更にそのシリンダ７の先端にストレーナ１３に臨んで、薬液タンク２の内部に開口する吸入弁１４を設ける。又、その蓄圧室５には薬液を外部に放出するための吐出管１５を設ける。その際、吐出管１５はその一端を蓄圧室内の下方で開口させ、シリンダ７の外周面に沿わせる等して配設し、シリンダキャップ９の壁を通して蓄圧室外に突出させる。なお、その吐出管１５にはホースを接続し、そのホースに開閉弁と噴射ノズルを備えた噴霧竿を取り付ける。
【００１１】
この薬液タンク２に対し、手押し式ハンドル３を自在にロックし、そのロックを解除できるハンドルロック手段１６を設ける。すると、手押し式ハンドル３を持ち、ピストンロッド１１を上下動して薬液を吸入し、加圧するポンプ作動時以外には、そのハンドル３をロックして薬液タンク２に固定できる。それ故、ポンプ作動時以外の不必要なハンドル３の移動を防止できて好都合となる。そこで、このハンドルロック手段１６として、上面壁１７の中央にピストンロッド１１が挿通する挿通穴を設けたハンドルロック用の円筒状筒体１８をシリンダキャップ９上に乗せて螺着する。すると、図３に示すようにそのシリンダキャップ９に鍔部１９を設け、その鍔部１９を円周に沿って３箇所に分散配置した蝶型ボルト２０を用いて、一体にした薬液加圧ポンプ４、蓄圧室５等を薬液タンク２の上面壁２１に着脱自在に結合できる。なお、薬液タンク２の上面壁２１にはそのタンク内に薬液を注入するための薬液注入用開口を設け、そこに大きなつまみ部２１を中央に設けた開閉自在の上蓋２３を螺着しておく。
【００１２】
そして、ピストンロッド１１の上端部にその中心線２４に対して直角方向に設けた貫通穴にピンを挿通し、その両側にピンの両端部を夫々突出して、係止突部２５を形成する。そこで、図４に示すようにハンドルロック用筒体１８の内部空間をピストンロッド１１の上端部に設けた係止突起２５を収納可能な大きさにし、更に図５に示すようにそのハンドルロック用筒体１８の上面壁１７に、ピストンロッド挿通穴２６と連通する係止突起挿入・引抜き穴２７を設ける。すると、ハンドル３を手で押してピストン６を下死点付近まで下げ、ピストンロッド１１の上端部に設けた係止突起２５を上面壁１７に設けた挿入・引抜き穴２７からハンドルロック用筒体１８の内部に挿入し、そのハンドル３を少し回転させることにより、その上面壁１７によって係止突起２５の抜けを防止できて、ハンドル３がロック状態になる。
【００１３】
その際、ハンドルロック用筒体１８の内部に圧縮コイルばね２８を内蔵しておくと、その圧縮コイルばね２８から係止突起２５に対し、常にばね力が作用し、その係止突起２５はばね２８で押し上げられて上面壁１７の内面に押圧される。それ故、ピストンロッド１１の上端部に設けた係止突起２５がハンドルロック用筒体１８から抜けなくなり、ハンドル３が薬液タンク２の上面壁２１に接近してロックされ、がたつかない。なお、ハンドルロック用筒体内の下部付近にはシリンダキャップ９に設けたシリンダ挿通穴を密封するため、パッキン、パッキン押え等を収納する。
【００１４】
このような薬液タンク２の下側に台部２９を固着して一体に連結する。すると、人力噴霧器１の薬液タンク２と台部２９とからなるボディ３０を当然長くすることができる。この台部２９には薬液タンク２と同径の円筒状の筒体が適している。そこで、台部用筒体２９の前面周壁の上部に、両車輪３１（３１ａ、３１ｂ）の軸３２を支持する軸支持部材３３を固着して備え付ける。この軸支持部材３３は、例えば図６に示すようなＭ状に屈曲した細長い板体にし、その中央部３４を円弧状に曲げて台部用筒体２９の外面に沿わせて溶着する。
【００１５】
そして、その板体３３の両端部３５（３５ａ、３５ｂ）を台部用筒体２９から前方に夫々突出させ、少し下向するように傾斜させて、その両先端付近に軸穴を夫々設ける。その際、軸支持位置を薬液タンク２をほぼ垂直に立てた時、その両車輪３１のタイヤ下端と台部用筒体２９の底との高さがほぼ等しくなるようにする。又、台部用筒体２９の前面周壁の下部に、逆Ｕ字状縁部を有する貫通した開口３６を設け、その周壁開口３６の底側縁部３７を人力噴霧器１のボディ３０を立てて固定する際の足踏みストッパーにする。なお、図７に示すように台部用筒体２９のリング状底部３８の前側寄り位置に補強板３９を掛け渡して固着しておくと、そのリング状底部３８の一部に当る底側縁部３７を補強し、ボディ３０の安定性を強化できる。
【００１６】
このような引き摺り型人力噴霧器１は使用時、タンク内に薬液を注入し、その薬液を加圧する必要がある。そこで、人力噴霧器１のハンドル３を持ち、ボディ３０を引き上げて立て、その台部２９の周壁開口３６に足を入れて、その底側縁部３７と補強板３９を踏む。すると、使用者の体重を周壁開口３６の底側縁部３７等に加え、ボディ３０の底にあたる台部用筒体２９のリング状底部３８及びその補強板３９と、その台部用筒体２９の前側寄りの両側に位置する両車輪３１ａのタイヤ下端とを地面等に接触させることにより、支持範囲を大きくし、人力噴霧器１のボディ３０をしっかりと地面等の上に固定できる。それ故、人力噴霧器１の立ち状態も安定して倒れ難くなる。
【００１７】
そこで、ボディ台部２９に設けた周壁開口３６の底側縁部３７等を足で踏んだ状態で上蓋２３を外し、薬液注入作業を行ない、そのタンク中に必要量の薬液を注入後に上蓋２３を閉じる。又、ハンドル３を持って少し回転させ、そのハンドルロック用筒体１８の上面壁１７に設けた挿入・引抜き穴２７から係止突起２５を引き抜き、ハンドル３のロック状態を解除する。すると、ハンドル３の押し下げと引き上げを繰り返すことにより、薬液加圧ポンプ４を作動させ、タンク内からシリンダ内に薬液を吸入し、そのシリンダ内から蓄圧室５に吐出して、その蓄圧室内に加圧薬液を蓄えることができる。
【００１８】
その際、人力噴霧器１はそのボディ３０を長くすることによって、立てた時に背が高くなり、作業に適した高さになっている。それ故、上蓋２３の開閉と薬液の注入作業を行い易く、又ハンドル３の位置を両手でも片手でも漕ぎ易い腰の高さに設定すると、ハンドル３を握って薬液を吸入し、加圧して吐出するポンプ作動用の上下動作業を行い易く、噴霧作業を楽に行える。なお、薬液タンク２を長くすると、ピストンロッド１１を長くできるため、１ストロークにおける吸入量（蓄圧室５への吐出量）が多くなり、ピストン６を漕ぐ回数を少なくできる。しかも、蓄圧室５を長くしてその容量を大きくすることができるので、圧力の急激な低下がなく、安定した噴霧を行える。
【００１９】
このようにして、薬液を加圧した後にハンドル３を押し下げて、ハンドルロック用筒体１８の穴２７に係止突起２５を挿入し、ハンドル３をロックする。すると、人力噴霧器１のボディ３０を立てたまま噴霧竿を持ち、弁を開いて適宜噴霧作業を行える。しかも、人力噴霧器１には車輪３１が付いているので、噴霧中或いは噴霧停止中等にハンドル３を持ち、ボディ３０を傾けて引き摺りながらの移動を行える。なお、ハンドル３はピストン６を下死点付近までシリンダ内に押し込んだ状態でロックされているので、ハンドル３を持ちボディ３０を引き上げて、人力噴霧器１を持ち運ぶこともできる。それ故、通常は人力噴霧器１を携行する必要がなくて、薬液タンク２の容量を大きくでき、そのタンク容量を大きくしても取り扱い易くなり、適切な噴霧作業を行える。
【００２０】
【発明の効果】
以上説明した本発明によれば、請求項１記載の発明では薬液タンクを筒体にし、そのタンク用筒体の下側に台部を一体に連結して人力噴霧器のボディを構成することにより、薬液タンクを長くする等してボディを長くし易く、立てた時に背を高くすることができる。それ故、手押し式ハンドルの位置を両手でも片手でも漕ぎ易い腰の高さに設定すると、ハンドルを持って薬液を吸入し、加圧するポンプ作動用の上下動作業を行い易くなり、噴霧作業を楽に行える。又、薬液タンクを長くすることにより、ピストンロッドを長くすると、１ストロークにおける吸入量が多くなり、ピストンを漕ぐ回数を少なくできる。しかも、薬液タンクを長くすることにより蓄圧室を長くしてその容量を大きくできるので、圧力の急激な低下がなく、安定した噴霧を行える。そして、薬液タンクに手押し式ハンドルを自在にロックし、そのロックを解除できるハンドルロック手段を備えることにより、ポンプ作動時以外にはハンドルをロックして薬液タンクに固定できる。それ故、ポンプ作動時以外の不必要なハンドルの移動を防止できて好都合となる。
【００２１】
又、台部に足踏みストッパーを設け、車輪を備え付けておくことにより、足でそのストッパーを踏んで体重を加えると、人力噴霧器のボディをしっかりと地面等の上に固定でき、ポンプ作動用の上下動作業を行い易い。又、人力噴霧器のボディには車輪が付いているので、ハンドルをロックした後の噴霧中或いは噴霧停止中等に、そのハンドルを持ち、ボディを傾けて引き摺りながらの移動を簡単に行える。それ故、人力噴霧器を通常は携行する必要がないため、薬液タンクの容量を大きくでき、そのタンク容量を大きくしても取り扱い易くなり、適切な噴霧作業を行える。
【００２２】
又、請求項２記載の発明では手押し式ハンドルを押し下げて、ピストンロッドの上端部に設けた係止突起を上面壁に設けた挿入・引抜き穴からハンドルロック用筒体内に挿入し、そのハンドルを少し回転することにより、その上面壁によって係止突起の抜けを防止できて、ハンドルがロック状態になる。又、そのロック状態から手押し式ハンドルを更に同一方向に又は反対方向に回転させると、挿入・引抜き穴から係止突起を引き抜いて、ハンドルのロック状態を解除できる。それ故、手押し式ハンドルのロックとその解除を簡単に自在に行える。
【００２３】
又、請求項３記載の発明では薬液タンクをほぼ垂直に立てた時、台部用筒体に備え付けた車輪の下端と台部用筒体の底との高さをほぼ等しくすることにより、人力噴霧器のボディの底にあたる台部用筒体の底と車輪の下端とを地面等に接触させて支持範囲を大きくし、人力噴霧器のボディをしっかりと地面等の上に固定できる。それ故、人力噴霧器の立ち状態も安定して倒れ難くなる。又、台部用筒体の周壁下端付近に開口を設け、その周壁開口の底側縁部を足踏みストッパーにすることにより、その周壁開口に足を入れて、その開口の底側縁部を踏むと、使用者の体重を加えて、人力噴霧器のボディを一層しっかりと固定でき、倒れ難くできる。
【図面の簡単な説明】
【図１】本発明を適用した引き摺り型人力噴霧器の内部構造を示す左側から見た部分縦断面図である。
【図２】同引き摺り型人力噴霧器の正面図である。
【図３】同引き摺り型人力噴霧器の車輪を除く平面図である。
【図４】同引き摺り型人力噴霧器の上部の内部構造を示す部分縦断面図であり、図１の部分拡大図に相当する。
【図５】同引き摺り型人力噴霧器に備えるハンドルロック用筒体の平面図である。
【図６】同引き摺り型人力噴霧器のハンドルを除く底面図である。
【図７】同引き摺り型人力噴霧器を構成する台部用筒体の周壁開口付近を示す斜視図である。
【符号の説明】
１…引き摺り型人力噴霧器　２…薬液タンク　３…ハンドル　４…薬液加圧ポンプ　５…蓄圧室　６…ピストン　７…シリンダ　８…外筒　９…シリンダキャップ　１０…底部材　１１…ピストンロッド　１２…吐出弁　１３…ストレーナ１４…吸入弁　１５…吐出管　１６…ハンドルロック手段　　１７、２１…上面壁　１８…ハンドルロック用筒体　２３…上蓋　２５…係止突起　２６…ピストンロッド挿通穴　２７…係止突起挿入・引抜き穴　２９…台部　３０…ボディ３１…車輪　３２…軸　３３…軸支持部材　３６…周壁開口　３７…底側縁部（足踏みストッパー）　３８…リング状突部　３９…補強板
【図１】
2004017033.tif 000003
【図２】
2004017033.tif 000004
【図３】
2004017033.tif 000005
【図４】
2004017033.tif 000006
【図５】
2004017033.tif 000007
【図６】
2004017033.tif 000008
【図７】
2004017033.tif 000009